(57)【要約】【課題】観察方向に制限されることなく潜像による真偽判別を容易に行う。【解決手段】平面部３を具備するシート基材２に、平面部３から窪んで形成された複数の凹部１１と、複数の凹部１１毎に、凹部１１を取り囲むように平面部３に設けられた複数の外周マーク１２と、複数の凹部１１のうち予め決められた凹部１１の内側面１１ａの全周に渡って設けられた内マーク１３とを設ける。【選択図】図１
2008012722.tif 000002
【特許請求の範囲】
【請求項１】
平面部を具備する基材に、該平面部から窪んで形成された複数の凹部と、
前記複数の凹部毎に、当該凹部を取り囲むように前記平面部に設けられた複数の第１のマーク部と、
前記複数の凹部のうち予め決められた凹部の内側面の全周に渡って設けられた第２のマーク部とを有する偽造防止媒体。
【発明の詳細な説明】
【技術分野】
【０００１】
本発明は、偽造防止シート等の偽造防止媒体に関し、特に、潜像を用いた偽造防止構造に関する。
【背景技術】
【０００２】
従来より、プリペイドカードや各種入場券、商品券や株券等の有価証券においては、広く流通しており比較的容易に換金可能である等の理由から、偽造犯罪が頻発している。特に、近年ではカラーコピー機等の複写機の性能向上と普及に伴い、簡単には真正品と見分けられない偽造品が比較的容易に製造可能になってきており、偽造に対する対策が求められている。また、上述したような有価証券に限らず、紙幣においても偽造に対する対策が求められている。
【０００３】
このような偽造に対する対策の１つとして、潜像を用いて有価証券や紙幣の真偽判別を可能とする技術が考えられており、例えば、特許文献１に開示されている。
【０００４】
特許文献１に開示された技術は、シート基材上に、複数本の印刷万線と、この印刷万線と並列し、一部が印刷万線と直交する方向に延在し、かつ、断面が隆起したレリーフ万線とを設け、観察方向によって潜像を浮かび上がらせるものである。基材を正面から見た場合は全ての印刷万線が視認可能な状態となっている。ところが、観察方向を印刷万線及びレリーフ万線と直交する方向に変化させていくと、印刷万線のうちレリーフ万線が延在した部分がその延在したレリーフ万線の陰となって視認できなくなる一方、印刷万線のその他の部分は視認可能な状態のままとなる。これにより、レリーフ万線の形状に応じた潜像を浮かび上がらせることができる。
【０００５】
このように、断面が隆起したレリーフ万線を設けたシート基材においては、複写した場合、表面に印刷された印刷万線を含む印刷情報は複写されるものの、レリーフ万線の隆起形状までは再現できない。そのため、複写物の観察方向を変化させていった場合であっても、潜像は浮かび上がらず、それにより、真偽判別を行うことが可能となる。
【特許文献１】特開２０００−３１３１６１号公報
【発明の開示】
【発明が解決しようとする課題】
【０００６】
しかしながら、上述したように、シート基材上に、複数本の印刷万線と、この印刷万線と並列し、一部が印刷万線と直交する方向に延在し、かつ、断面が隆起したレリーフ万線とを設け、この印刷万線とレリーフ万線とで潜像を浮かび上がらせるものにおいては、印刷万線及びレリーフ万線と直交する方向から観察した場合にしか潜像が浮かび上がらず、潜像による真偽判別がしやすいとは言い難い。特に、観察方向が制限されている場合、潜像による真偽判別ができなくなる虞れがある。
【０００７】
本発明は、上述したような従来の技術が有する問題点に鑑みてなされたものであって、観察方向に制限されることなく潜像による真偽判別を容易に行うことができる偽造防止媒体を提供することを目的とする。
【課題を解決するための手段】
【０００８】
上記目的を達成するために本発明は、
平面部を具備する基材に、該平面部から窪んで形成された複数の凹部と、
前記複数の凹部毎に、当該凹部を取り囲むように前記平面部に設けられた複数の第１のマーク部と、
前記複数の凹部のうち予め決められた凹部の内側面の全周に渡って設けられた第２のマーク部とを有する。
【０００９】
上記のように構成された本発明においては、基材の平面部の法線方向から観察した場合、第１のマーク部が設けられた平面部は観察方向と対向するため、観察方向からの光がこの平面部に設けられた第１のマーク部上にて観察方向に反射し、第１のマーク部が明確に見える。一方、第２のマーク部が設けられた凹部の内側面は観察方向に対向していないため、観察方向からの光がこの凹部の内側面に設けられた第２のマーク部上にて観察方向以外の方向にも反射して分散してしまい、第２のマーク部が薄くしか見えない。そのため、基材の平面部の法線方向から観察した場合は、複数の凹部のうち第２のマーク部が設けられていない凹部においてはその周囲に設けられた第１のマーク部のみが視認され、複数の凹部のうち内側面に第２のマーク部が設けられた凹部においても、第２のマーク部が薄くしか見えないのに対して第１のマーク部が明確に見えることによる錯覚によってほとんど第１のマーク部しか視認されない状態となる。また、この状態から基材に対する観察方向を基材の平面部の法線方向から変化させていくと、観察方向が、第２のマーク部が設けられた凹部の内側面に対向するようになっていく。すると、観察方向からの光がこの凹部の内側面に設けられた第２のマーク部上にて観察方向に反射し、第２のマーク部が明確に見えるようになる。一方、第１のマーク部が設けられた平面部は観察方向に対向しなくなるため、観察方向からの光がこの平面部に設けられた第１のマーク部上にて観察方向以外の方向にも反射して分散してしまい、第１のマーク部が薄くしか見えなくなっていく。そのため、複数の第２のマーク部を潜像となる所定の情報が表現されるように複数の凹部のうち予め決められた凹部に設けておけば、基材に対する観察方向を基材の平面部の法線方向から変化させていった場合、第２のマーク部による潜像が浮かび上がって見えるようになる。ここで、本発明においては、第２のマーク部が、凹部の内側面の全周に渡って設けられているので、基材に対する観察方向を基材の平面部の法線方向からどの方向に変化させていった場合であっても、第２のマーク部による潜像が浮かび上がって見えるようになる。
【発明の効果】
【００１０】
以上説明したように本発明においては、観察方向を基材の平面部の法線方向から傾けていった場合に浮かび上がる潜像を構成する第２のマーク部が、基材に形成された凹部の内側面の全周に渡って設けられているため、観察方向に制限されることなく潜像が浮かび上がり、潜像による真偽判別を容易に行うことができる。
【発明を実施するための最良の形態】
【００１１】
以下に、本発明の実施の形態について図面を参照して説明する。
【００１２】
（第１の実施の形態）
図１は、本発明の偽造防止媒体の第１の実施の形態となる偽造防止シートを示す図であり、（ａ）は全体の構成を示す図、（ｂ）は（ａ）に示した偽造防止構造１０の詳細な構成を示す図、（ｃ）は（ｂ）に示したＡ−Ａ’断面図、（ｄ）は内マーク１３が設けられた凹部１１の構成を示す図、（ｅ）は内マーク１３が設けられていない凹部１１の構成を示す図である。
【００１３】
本形態の偽造防止シート１は図１に示すように、紙からなるシート基材２の一部の領域に偽造防止構造１０が設けられて構成されている。シート基材２は、平面部３を有し、この平面部３の一部の領域に情報印刷領域４が設けられるとともに、他の領域に偽造防止構造１０が設けられている。このように構成された偽造防止シート１は、例えば、コンサート等の入場チケットとして用いることが考えられる。その場合、コンサートの内容や会場名、座席番号等が情報印刷領域４に印刷されることになる。また、シート基材２の情報印刷領域４に情報が印刷される前に、シート基材２に対してプレ印刷として地紋を印刷したり所定の色に着色したりすることも考えられるが、その場合、偽造防止構造１０による潜像が見にくくならないようにする必要がある。
【００１４】
シート基材２に設けられた偽造防止構造１０は図１（ｂ）に示すように、シート基材２にマトリックス状に形成された複数の凹部１１と、この複数の凹部１１の周囲にそれぞれ設けられた第１のマーク部である複数の外周マーク１２と、複数の凹部１１のうち予め決められた凹部１１のみに設けられた第２のマーク部である内マーク１３とから構成されている。凹部１１は図１（ｃ）に示すように、シート基材２の厚さ方向に平面部３から０．１ｍｍ程度窪み、平面部３との境界部分が直径０．５ｍｍ以下の円形状となっている。この境界部分から離れていくに従ってその断面積が徐々に狭くなり、図１（ｄ），（ｅ）に示すように、境界部分の反対側は平面部３と平行な底部１１ｂとなっている。そのため、凹部１１の内側面１１ａは、平面部３の法線に対して斜めの方向を向いている。外周マーク１２は、凹部１１をそれぞれ取り囲むようにシート基材２の平面部３に印刷によって設けられており、凹部１１の平面部３との境界部分が円形状であることから、円形状となっている。内マーク１３は、複数の凹部１１のうち予め決められた凹部１１の内側面１１ａの全周に渡って印刷によって設けられており、凹部１１の平面部３との境界部分が円形状であり、また、この境界部分から離れていくに従って凹部１１の断面積が徐々に狭くなることから、シート基材２の平面部３の法線方向から見た場合に円形状となっている。なお、本形態にて図示する偽造防止構造１０は、説明を簡単にするために縦横がそれぞれ１０個ずつの凹部１１及び外周マーク１２を用いたものであるが、その数を多くすればするほど、この偽造防止構造１０によって浮き上がらせることができる潜像となる文字を精細なものとすることができ、曲線等を表現しやすくなる。
【００１５】
以下に、上記のように構成された偽造防止シート１の製造方法について説明する。
【００１６】
図２は、図１に示した偽造防止シート１の製造方法を説明するための図であり、シート基材２のうち偽造防止構造１０が設けられる領域のみを示す。
【００１７】
まず、シート基材２の偽造防止構造１０が設けられる領域に、外周マーク１２及び内マーク１３をそれぞれ円形状に印刷する（図２（ａ））。外周マーク１２は１０×１０のマトリックス状に、また、内マーク１３は、この１００個の外周マーク１２のうち「Ｔ」を形成する位置となる外周マーク１２内に外周マーク１２に沿うように印刷する。これら外周マーク１２と内マーク１３との組み合わせは、偽造防止構造１０によって浮かび上がる潜像（本形態においては「Ｔ」）に応じて予め設定されており、印刷データとして与えられる。また、これら外周マーク１２と内マーク１３の印刷は、上述したようなプレ印刷と同時に行ってもよいし、上述したプレ印刷を行った後に行ってもよい。
【００１８】
次に、外周マーク１２及び内マーク１３が印刷された領域に、エンボス版を用いて複数の凹部１１を形成する（図２（ｂ））。凹部１１は、１００個の外周マーク１２の内側に、かつ内マーク１３が設けられた部分については内マーク１３の外側が平面部３との境界部分となるようにそれぞれ形成され、それにより、外周マーク１２が凹部１１を取り囲み、また、内マーク１３が凹部１１の内側面の全周に渡って設けられた形状となる。
【００１９】
上述したようにして偽造防止シート１が製造され、その後、用途に応じた情報がシート基材２の情報印刷領域４に印刷されて使用されることになる。
【００２０】
以下に、上述した偽造防止シート１の作用について説明する。
【００２１】
まず、図１に示した偽造防止シート１を正面、すなわち、シート基材２の平面部３の法線方向から観察した場合の作用について説明する。
【００２２】
図３は、図１に示した偽造防止シート１を正面から観察した場合の作用を説明するための図であり、（ａ）は偽造防止構造１０における光の反射を示す図、（ｂ）は（ａ）に示した光の反射による外周マーク１２及び内マーク１３の見え方を示す図、（ｃ）は偽造防止構造１０における外周マーク１２及び内マーク１３の見え方を示す図である。
【００２３】
図１に示した偽造防止シート１を正面から観察した場合、シート基材２のうち平面部３が観察方向と対向するため、平面部３となる領域においては観察方向からの光が観察方向にそのまま反射してこの反射光の観察方向における受光量が多くなる。偽造防止構造１０に設けられた外周マーク１２と内マーク１３のうち、外周マーク１２は、シート基材２の平面部３となる領域に設けられているため、図３（ａ）の一点鎖線で示すように観察方向からの光が外周マーク１２上で観察方向に反射し、それにより、図３（ｂ）に示すように外周マーク１２が明確に見えるようになる。
【００２４】
一方、シート基材２に形成された凹部１１の内側面１１ａにおいては、偽造防止シート１を正面から観察した場合、観察方向に対向しない状態となっているため、観察方向からの光は観察方向以外の方向にも反射してこの反射光の観察方向における受光量が少なくなる。偽造防止構造１０に設けられた外周マーク１２と内マーク１３のうち、内マーク１３は、凹部１１の内側面１１ａに設けられているため、図３（ａ）の破線で示すように観察方向からの光が内マーク１３上で観察方向以外にも反射して分散し、それにより、図３（ｂ）に示すように内マーク１３は薄くしか見えない状態となる。
【００２５】
そのため、偽造防止シート１を正面から観察した場合は、図３（ｃ）に示すように、複数の凹部１１のうち内マーク１３が設けられていない凹部１１においてはその周囲に設けられた外周マーク１３のみが視認され、複数の凹部１１のうち内側面１１ａに内マーク１３が設けられた凹部１１においても、内マーク１３が薄くしか見えないのに対して外周マーク１２が明確に見えることによる錯覚によってほとんど外周マーク１２しか視認されない状態となる。
【００２６】
次に、図１に示した偽造防止シート１に対する観察方向を正面、すなわち、シート基材２の平面部３の法線方向から変化させていった場合の作用について説明する。
【００２７】
図４は、図１に示した偽造防止シート１に対する観察方向を正面から変化させていった場合の作用を説明するための図であり、（ａ）は偽造防止構造１０における光の反射を示す図、（ｂ）は（ａ）に示した光の反射による外周マーク１２及び内マーク１３の見え方を示す図、（ｃ）〜（ｆ）は偽造防止構造１０における外周マーク１２及び内マーク１３の見え方を示す図である。
【００２８】
図１に示した偽造防止シート１に対する観察方向を正面から変化させていくと、その観察方向が、シート基材２に形成された凹部１１の内側面１１ａに対向する方向に近づいていく。すると、凹部１１の内側面１１ａにおいては、観察方向からの光が観察方向にそのまま反射してこの反射光の観察方向における受光量が多くなる。偽造防止構造１０に設けられた外周マーク１２と内マーク１３のうち、内マーク１３は、シート基材２に形成された凹部１１の内側面１１ａに設けられているため、図４（ａ）の一点鎖線で示すように観察方向からの光が内マーク１３上で観察方向に反射し、それにより、図４（ｂ）に示すように内マーク１３が明確に見えるようになる。
【００２９】
一方、シート基材２の平面部３は観察方向に対向しなくなるため、観察方向からの光は観察方向以外の方向にも反射してこの反射光の観察方向における受光量が少なくなる。偽造防止構造１０に設けられた外周マーク１２と内マーク１３のうち、外周マーク１２は、シート基材２の平面部３に設けられているため、図４（ａ）の破線で示すように観察方向からの光が外周マーク１２上で観察方向以外にも反射して分散し、それにより、図４（ｂ）に示すように外周マーク１２は薄くしか見えない状態となる。
【００３０】
そのため、偽造防止シート１に対する観察方向を、例えば図１中下側に変化させていくと図４（ｃ）に示すように、偽造防止構造１０に設けられた内マーク１３によって構成される潜像「Ｔ」が浮かび上がって見えるようになる。
【００３１】
ここで、図１に示した偽造防止シート１においては、観察方向によって浮かび上がる潜像を構成する内マーク１３が、シート基材２に形成された凹部１１の内側面１１ａの全周に渡って設けられているため、観察方向をシート基材２の平面部３の法線方向からどの方向に変化させていった場合であっても、内マーク１３による潜像が浮かび上がって見えるようになる。例えば、偽造防止シート１に対する観察方向を図１中上側に変化させていくと、内マーク１３によって構成される潜像「Ｔ」が、図４（ｄ）に示すように浮かび上がって見えるようになり、また、偽造防止シート１に対する観察方向を図１中右側に変化させていくと、内マーク１３によって構成される潜像「Ｔ」が、図４（ｅ）に示すように浮かび上がって見えるようになり、また、偽造防止シート１に対する観察方向を図１中左側に変化させていくと、内マーク１３によって構成される潜像「Ｔ」が、図４（ｆ）に示すように浮かび上がって見えるようになる。
【００３２】
上述した偽造防止シート１は、複写した場合、シート基材２の情報印刷領域４に印刷された情報や、シート基材２に印刷により設けられた外周マーク１２及び内マーク１３は複写されるものの、凹部１１までは再現できない。そのため、複写物の観察方向を変えていった場合であっても、内マーク１３による潜像は浮かび上がらず、それにより、真偽判別を行うことが可能となる。このように真偽判別を行う際、本形態の偽造防止シート１においては、偽造防止シート１に対する観察方向をシート基材２の平面部３の法線方向からどの方向に変化させていった場合であっても、内マーク１３による潜像が浮かび上がって見えるため、観察方向に制限されることなく潜像による真偽判別を容易に行うことができる。
【００３３】
なお、偽造防止構造１０に設けられる外周マーク１２及び内マーク１３は、本形態のように幅が均一のものではなく、一部が幅方向に突出した形状であってもよい。また、内マーク１３においては、図示した内マーク１３の内側が全て着色された構成としてもよい。ただしその場合は、偽造防止シート１を正面から観察した場合に内マーク１３を視認困難とするために凹部１１の平面部３に対する形成角度を急峻なものとする必要がある。
【００３４】
また、凹部１１においては、頂部１１ｂがない円錐形のものや、断面が矩形状となるものとすることも考えられる。ただし、凹部１１の平面部３との境界部分が円形状のように中心からの距離が略一定となるものであり、それに伴って内マーク１３も円形状のように中心からの距離が略一定となるものとした方が、どの方向から観察しても視認可能となる内マーク１３の形状が同一となり、内マーク１３によって浮かび上がる潜像の精細な形状を均一化することができる。また、凸部１１を、ドーム型のものとすることも考えられる。その場合、凸部のうち平面部３と略平行とならない領域を内側面とし、その領域に内マーク１３を設けることになる。
【００３５】
また、凹部１１の平面部３に対する形成角度は、９０度に近いほど、偽造防止シート１を正面から見た場合に、潜像を構成する内マーク１３を見にくくすることができるが、その反面、平面部３の法線方向から観察方向を傾けていった場合に、観察方向が凹部１１の内側面１１ａと対向する前に、内側面１１ａが手前の領域によって隠れてしまい、上述した効果を得ることができないため、内マーク１３の線幅やシート基材２の反射率等を考慮して適宜設定することが好ましい。
【００３６】
（第２の実施の形態）
図５は、本発明の偽造防止媒体の第２の実施の形態となる偽造防止シートを示す図であり、（ａ）は全体の構成を示す図、（ｂ）は（ａ）に示した偽造防止構造１１０の詳細な構成を示す図、（ｃ）は（ｂ）に示したＡ−Ａ’断面図、（ｄ）は内マーク１１３が設けられた凹部１１１の構成を示す図、（ｅ）は内マーク１１３が設けられていない凹部１１１の構成を示す図である。
【００３７】
本形態の偽造防止シート１０１は図５に示すように、紙からなるシート基材１０２の一部の領域に偽造防止構造１１０が設けられて構成されている。シート基材１０２は、平面部１０３を有し、この平面部１０３の一部の領域に情報印刷領域１０４が設けられるとともに、他の領域に偽造防止構造１１０が設けられている。このように構成された偽造防止シート１０１は、第１の実施の形態にて示したものと同様に、例えば、コンサート等の入場チケットとして用いることが考えられる。その場合、コンサートの内容や会場名、座席番号等が情報印刷領域１０４に印刷されることになる。また、シート基材１０２の情報印刷領域１０４に情報が印刷される前に、シート基材１０２に対してプレ印刷として地紋を印刷したり所定の色に着色したりすることも考えられるが、その場合、偽造防止構造１１０による潜像が見にくくならないようにする必要がある。
【００３８】
シート基材１０２に設けられた偽造防止構造１１０は図５（ｂ）に示すように、シート基材１０２にマトリックス状に形成された複数の凹部１１１と、この複数の凹部１１１の周囲にそれぞれ設けられた第１のマーク部である複数の外周マーク１１２と、複数の凹部１１１のうち予め決められた凹部１１１のみに設けられた第２のマーク部である内マーク１１３とから構成されている。凹部１１１は図５（ｃ）に示すように、シート基材１０２の厚さ方向に平面部１０３から０．１ｍｍ程度窪み、平面部１０３との境界部分が直径０．５ｍｍ以下の円形状となっている。この境界部分から離れていくに従ってその断面積が徐々に狭くなり、図５（ｄ），（ｅ）に示すように、境界部分の反対側は平面部１０３と平行な底部１１１ｂとなっている。そのため、凹部１１１の内側面１１１ａは、平面部１０３の法線に対して斜めの方向を向いている。また、この凹部１１１には、透明樹脂１１４が埋め込まれている。外周マーク１１２は、凹部１１１をそれぞれ破線によって取り囲むようにシート基材１０２の平面部１０３に印刷によって設けられており、凹部１１１の平面部１０３との境界部分が円形状であることから、円形状となっている。内マーク１１３は、複数の凹部１１１のうち予め決められた凹部１１１の内側面１１１ａの全周に渡って印刷によって破線で設けられており、凹部１１１の平面部１０３との境界部分が円形状であり、また、この境界部分から離れていくに従って凹部１１１の断面積が徐々に狭くなることから、シート基材１０２の平面部１０３の法線方向から見た場合に円形状となっている。
【００３９】
以下に、上記のように構成された偽造防止シート１０１の製造方法について説明する。
【００４０】
図６は、図５に示した偽造防止シート１０１の製造方法を説明するための図であり、シート基材１０２のうち偽造防止構造１１０が設けられる領域の断面を示す。
【００４１】
まず、シート基材１０２の偽造防止構造１１０が設けられる領域に、外周マーク１１２及び内マーク１１３をそれぞれ破線で円形状に印刷する（図６（ａ））。図５（ｂ）に示したように、外周マーク１１２は１０×１０のマトリックス状に、また、内マーク１１３は、この１００個の外周マーク１１２のうち「Ｔ」を形成する位置となる外周マーク１１２内に外周マーク１１２に沿うように印刷する。これら外周マーク１１２と内マーク１１３との組み合わせは、偽造防止構造１１０によって浮かび上がる潜像（本形態においては「Ｔ」）に応じて予め設定されており、印刷データとして与えられる。また、これら外周マーク１１２と内マーク１１３の印刷は、上述したようなプレ印刷と同時に行ってもよいし、上述したプレ印刷を行った後に行ってもよい。
【００４２】
次に、外周マーク１１２及び内マーク１１３が印刷されたシート基材１０２の外周マーク１１２及び内マーク１１３の内側となる領域にそれぞれ透明樹脂１１４を塗布する（図６（ｂ））。この際、その後に透明樹脂１１４をシート基材１０２に埋め込むことによりシート基材１０２に凹部１１１を形成した際に内マーク１１３がこの凹部１１１内に設けられるように透明樹脂１１４を内マーク１１３に近接させる必要がある。
【００４３】
シート基材１０２上に塗布された透明樹脂１１４が硬化した後、シート基材１０２を支持台１２２上に載置し、透明樹脂１１４が塗布された面側からシート基材１０２に押圧部材１２１を押し付け、シート基材１０２上に塗布されて硬化した透明樹脂１１４をシート基材１０２に埋め込む（図６（ｃ））。なお、シート基材１０２上に透明樹脂１１４を塗布する工程からシート基材１０２を支持台１２２上に載置しておいてもよい。
【００４４】
その後、押圧部材１２１をシート基材１０２から離間し、外周マーク１１２の内部に透明樹脂１１４が埋め込まれた凹部１１１を形成する（図６（ｄ））。透明樹脂１１４は、上述したように外周マーク１１２及び内マーク１１３の内側にて内マーク１１３に近接して塗布されているため、外周マーク１１２が凹部１１１を取り囲み、また、内マーク１１３が凹部１１１の内側面１１１ａに設けられた形状となる。
【００４５】
上述したようにして偽造防止シート１０１が製造され、その後、用途に応じた情報がシート基材１０２の情報印刷領域１０４に印刷されて使用されることになる。
【００４６】
以下に、上述した偽造防止シート１０１の作用について説明する。なお、凹部１１１に埋め込まれた透明樹脂１１４は、無色透明であり、かつ、光の屈折がないものとして考える。
【００４７】
まず、図５に示した偽造防止シート１０１を正面、すなわち、シート基材１０２の平面部１０３の法線方向から観察した場合の作用について説明する。
【００４８】
図７は、図５に示した偽造防止シート１０１を正面から観察した場合の作用を説明するための図であり、（ａ）は偽造防止構造１１０における光の反射を示す図、（ｂ）は（ａ）に示した光の反射による外周マーク１１２及び内マーク１１３の見え方を示す図、（ｃ）は偽造防止構造１１０における外周マーク１１２及び内マーク１１３の見え方を示す図である。
【００４９】
図５に示した偽造防止シート１０１を正面から観察した場合、シート基材１０２のうち平面部１０３が観察方向と対向するため、平面部１０３となる領域においては観察方向からの光が観察方向にそのまま反射してこの反射光の観察方向における受光量が多くなる。偽造防止構造１１０に設けられた外周マーク１１２と内マーク１１３のうち、外周マーク１１２は、シート基材１０２の平面部１０３となる領域に設けられているため、図７（ａ）の一点鎖線で示すように観察方向からの光が外周マーク１１２上で観察方向に反射し、それにより、図７（ｂ）に示すように外周マーク１１２が明確に見えるようになる。
【００５０】
一方、シート基材１０２に形成された凹部１１１の内側面１１１ａにおいては、偽造防止シート１０１を正面から観察した場合、観察方向に対向しない状態となっているため、観察方向からの光は観察方向以外の方向にも反射してこの反射光の観察方向における受光量が少なくなる。偽造防止構造１１０に設けられた外周マーク１１２と内マーク１１３のうち、内マーク１１３は、凹部１１１の内側面１１１ａに設けられているため、図７（ａ）の破線で示すように観察方向からの光が内マーク１１３上で観察方向以外にも反射して分散し、それにより、図７（ｂ）に示すように内マーク１１３は薄くしか見えない状態となる。
【００５１】
そのため、偽造防止シート１０１を正面から観察した場合は、図７（ｃ）に示すように、複数の凹部１１１のうち内マーク１１３が設けられていない凹部１１１においてはその周囲に設けられた外周マーク１１３のみが視認され、複数の凹部１１１のうち内側面１１１ａに内マーク１１３が設けられた凹部１１１においても、内マーク１１３が薄くしか見えないのに対して外周マーク１１２が明確に見えることによる錯覚によってほとんど外周マーク１１２しか視認されない状態となる。
【００５２】
次に、図５に示した偽造防止シート１０１に対する観察方向を正面、すなわち、シート基材１０２の平面部１０３の法線方向から変化させていった場合の作用について説明する。
【００５３】
図８は、図５に示した偽造防止シート１０１に対する観察方向を正面から変化させていった場合の作用を説明するための図であり、（ａ）は偽造防止構造１１０における光の反射を示す図、（ｂ）は（ａ）に示した光の反射による外周マーク１１２及び内マーク１１３の見え方を示す図、（ｃ）〜（ｆ）は偽造防止構造１１０における外周マーク１１２及び内マーク１１３の見え方を示す図である。なお、図８（ｃ）〜（ｆ）については、透明樹脂１１４の図示を省略してある。
【００５４】
図５に示した偽造防止シート１０１に対する観察方向を正面から変化させていくと、その観察方向が、シート基材１０２に形成された凹部１１１の内側面１１１ａに対向する方向に近づいていく。すると、凹部１１１の内側面１１１ａにおいては、観察方向からの光が観察方向にそのまま反射してこの反射光の観察方向における受光量が多くなる。偽造防止構造１１０に設けられた外周マーク１１２と内マーク１１３のうち、内マーク１１３は、シート基材１０２に形成された凹部１１１の内側面１１１ａに設けられているため、図８（ａ）の一点鎖線で示すように観察方向からの光が内マーク１１３上で観察方向に反射し、それにより、図８（ｂ）に示すように内マーク１１３が明確に見えるようになる。
【００５５】
一方、シート基材１０２の平面部１０３は観察方向に対向しなくなるため、観察方向からの光は観察方向以外の方向にも反射してこの反射光の観察方向における受光量が少なくなる。偽造防止構造１１０に設けられた外周マーク１１２と内マーク１１３のうち、外周マーク１１２は、シート基材１０２の平面部１０３に設けられているため、図８（ａ）の破線で示すように観察方向からの光が外周マーク１１２上で観察方向以外にも反射して分散し、それにより、図８（ｂ）に示すように外周マーク１１２は薄くしか見えない状態となる。
【００５６】
そのため、偽造防止シート１０１に対する観察方向を、例えば図５中下側に変化させていくと図８（ｃ）に示すように、偽造防止構造１１０に設けられた内マーク１１３によって構成される潜像「Ｔ」が浮かび上がって見えるようになる。
【００５７】
ここで、図５に示した偽造防止シート１０１においては、観察方向によって浮かび上がる潜像を構成する内マーク１１３が、シート基材１０２に形成された凹部１１１の内側面１１１ａの全周に渡って設けられているため、観察方向をシート基材１０２の平面部１０３の法線方向からどの方向に変化させていった場合であっても、内マーク１１３による潜像が浮かび上がって見えるようになる。例えば、偽造防止シート１０１に対する観察方向を図５中上側に変化させていくと、内マーク１１３によって構成される潜像「Ｔ」が、図８（ｄ）に示すように浮かび上がって見えるようになり、また、偽造防止シート１０１に対する観察方向を図５中右側に変化させていくと、内マーク１１３によって構成される潜像「Ｔ」が、図８（ｅ）に示すように浮かび上がって見えるようになり、また、偽造防止シート１０１に対する観察方向を図５中左側に変化させていくと、内マーク１１３によって構成される潜像「Ｔ」が、図８（ｆ）に示すように浮かび上がって見えるようになる。
【００５８】
上述した偽造防止シート１０１は、複写した場合、シート基材１０２の情報印刷領域１０４に印刷された情報や、シート基材１０２に印刷により設けられた外周マーク１１２及び内マーク１１３は複写されるものの、凹部１１１までは再現できない。そのため、複写物の観察方向を変えていった場合であっても、内マーク１１３による潜像は浮かび上がらず、それにより、真偽判別を行うことが可能となる。このように真偽判別を行う際、本形態の偽造防止シート１０１においては、偽造防止シート１０１に対する観察方向をシート基材１０２の平面部１０３の法線方向からどの方向に変化させていった場合であっても、内マーク１１３による潜像が浮かび上がって見えるため、観察方向に制限されることなく潜像による真偽判別を容易に行うことができる。
【００５９】
なお、上述した２つの実施の形態における凹部１１，１１１の平面部３，１０３からの深さや平面部３，１０３との境界部分の寸法については、上述したものに限らず、適宜設定が可能である。
【００６０】
また、上述した２つの実施の形態においては、偽造防止媒体として、紙からなるシート基材２，１０２に偽造防止構造１０，１１０が設けられた偽造防止シート１，１０１を例に挙げて説明したが、本発明はこのような偽造防止シート１，１０１に限らず、フィルムからなるシート基材や複数の樹脂層が積層されてなるカード基材に上述したような偽造防止構造１０，１１０を設けたものにも適用することが可能である。
【図面の簡単な説明】
【００６１】
【図１】本発明の偽造防止媒体の第１の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は内マークが設けられた凹部の構成を示す図、（ｅ）は内マークが設けられていない凹部の構成を示す図である。
【図２】図１に示した偽造防止シートの製造方法を説明するための図である。
【図３】図１に示した偽造防止シートを正面から観察した場合の作用を説明するための図であり、（ａ）は偽造防止構造における光の反射を示す図、（ｂ）は（ａ）に示した光の反射による外周マーク及び内マークの見え方を示す図、（ｃ）は偽造防止構造における外周マーク及び内マークの見え方を示す図である。
【図４】図１に示した偽造防止シートに対する観察方向を正面から変化させていった場合の作用を説明するための図であり、（ａ）は偽造防止構造における光の反射を示す図、（ｂ）は（ａ）に示した光の反射による外周マーク及び内マークの見え方を示す図、（ｃ）〜（ｆ）は偽造防止構造における外周マーク及び内マークの見え方を示す図である。
【図５】本発明の偽造防止媒体の第２の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は内マークが設けられた凹部の構成を示す図、（ｅ）は内マークが設けられていない凹部の構成を示す図である。
【図６】図５に示した偽造防止シートの製造方法を説明するための図である。
【図７】図５に示した偽造防止シートを正面から観察した場合の作用を説明するための図であり、（ａ）は偽造防止構造における光の反射を示す図、（ｂ）は（ａ）に示した光の反射による外周マーク及び内マークの見え方を示す図、（ｃ）は偽造防止構造における外周マーク及び内マークの見え方を示す図である。
【図８】図５に示した偽造防止シートに対する観察方向を正面から変化させていった場合の作用を説明するための図であり、（ａ）は偽造防止構造における光の反射を示す図、（ｂ）は（ａ）に示した光の反射による外周マーク及び内マークの見え方を示す図、（ｃ）〜（ｆ）は偽造防止構造における外周マーク及び内マークの見え方を示す図である。
【符号の説明】
【００６２】
１，１０１    偽造防止シート
２，１０２    シート基材
３，１０３    平面部
４，１０４    情報印刷領域
１０，１１０    偽造防止構造
１１，１１１    凹部
１１ａ，１１１ａ    内側面
１１ｂ，１１１ｂ    底部
１２，１１２    外周マーク
１３，１１３    内マーク
１１４    透明樹脂
１２１    押圧部材
１２２    支持台
【図１】
2008012722.tif 000003
【図２】
2008012722.tif 000004
【図３】
2008012722.tif 000005
【図４】
2008012722.tif 000006
【図５】
2008012722.tif 000007
【図６】
2008012722.tif 000008
【図７】
2008012722.tif 000009
【図８】
2008012722.tif 000010